(57)【要約】  【課題】農作物の移送時における農作物に対する傷付き等の悪影響の抑制。  【解決手段】複数のガイドローラ６を略曲面からなる略らせん状をなすガイドローラ列６１として配列する。  【選択図】図１
2006206221.tif 000002
【特許請求の範囲】
【請求項１】
搬送コンベアから搬送される農作物を、搬送コンベアとは交差する方向に配置された選別コンベアに移送可能な角度で前記搬送コンベアと交差し、かつ農作物を移送する方向に回転可能に軸支される回転シャフトの周面に、農作物を傷付けない程度の軟質素材からなる多数のガイドローラを突設してなり、
当該ガイドローラは、回転シャフトの軸線方向に、かつ隣接するガイドローラ同士の間に一定の間隔を確保するとともに、一定の角度を持って周方向にずらして略曲面からなる略らせん状をなすガイドローラ列に配列してなる農作物収穫機における移送装置。
【請求項２】
前記ガイドローラの列が複数列である請求項１に記載の農作物収穫機における移送装置。
【請求項３】
前記複数列のガイドローラの列は、その列同士の間に一定の間隔を確保して配設されている請求項２に記載の農作物収穫機における移送装置。
【発明の詳細な説明】
【技術分野】
【０００１】
本発明は、農作物収穫機における移送装置に関し、具体的には、馬鈴薯やビートあるいは玉葱等の略球状の農作物を、搬送コンベアから当該搬送コンベアと交差する方向に設けられた選別コンベアに移送する移送装置に関する。
【背景技術】
【０００２】
農作物収穫機の先行技術文献情報として、ロータリーバケットから搬送コンベアを経て、当該搬送コンベアと交差する方向に設けられた選別コンベアに移送する構成を有しているものがある。（たとえば、特許文献１参照）
【特許文献１】実開平５−１７号
【発明の開示】
【発明が解決しようとする課題】
【０００３】
ところで、農作物の移送時には、回転ブラシや回転ローラ、さらには壁面等によって農作物を搬送コンベアから選別コンベアに移送しているが、この移送時に農作物が回転ブラシによって傷付けられてしまう可能性が有ることが判明した。
具体的には
本願出願人は、農作物の移送時における農作物に対する傷付き等の悪影響の抑制という観点から鋭意研究した結果、本願発明に至った。
【０００４】
本発明は、農作物の移送時における農作物に対する傷付き等の悪影響の抑制を課題とし、この課題を解決する農作物収穫機における移送装置の提供を目的とする。
【課題を解決するための手段】
【０００５】
本発明は、前記目的を達成するため、下記の技術的手段を採用した。
搬送コンベアから搬送される農作物を、搬送コンベアとは交差する方向に配置された選別コンベアに移送可能な角度で前記搬送コンベアと交差し、かつ農作物を移送する方向に回転可能に軸支される回転シャフトの周面に、農作物を傷付けない程度の軟質素材からなる多数のガイドローラを突設してなり、当該ガイドローラは、回転シャフトの軸線方向に、かつ隣接するガイドローラ同士の間に一定の間隔を確保するとともに、一定の角度を持って周方向にずらして略曲面からなる略らせん状をなすガイドローラ列として配列してなる農作物収穫機における移送装置(第１発明)にしたことである。
前記農作物を傷付けない程度の軟質素材とは、ゴム材や軟質の合成樹脂材等が挙げられる。
また、前記一定の間隔とは、少なくとも商品となる大きさの農作物がすり抜けない間隔であるとともに、細かい土塊や石、さらには商品にならない小粒の農作物がすり抜けられる間隔である。
また、前記一定の角度とは、ガイドローラ列に段差が生じないように略曲面を形成可能な角度であればよい。
【０００６】
さらに、農作物の移送を効率よく、かつ連続的に行うという観点から、農作物の前記ガイドローラ列を複数列にしてもよく(第２発明)、この場合、前記複数列のガイドローラ列を、その列同士の間に一定の間隔を確保して配設すること(第３発明)が好ましい。
なお、本願発明では、前記ガイドローラ列の列数について限定するものではなく、農作物に対して傷付き等の悪影響を与えること無く、農作物の移送を効率よく、かつ連続的に行える列数であればよい。
【発明の効果】
【０００７】
本発明によれば、下記の優れた効果が期待できる。
第１発明によれば、搬送コンベアで搬送される農作物が略曲面からなる略らせん状に配設されたガイドローラ列に接触するとともに、搬送コンベアに移送される。
このとき、ガイドローラは、軟質素材からなり、しかも略曲面からなる略らせん状のガイドローラ列として配列されているので、農作物の接触時における衝撃を緩和し、農作物に対する傷付き等の悪影響を抑制することができる。
また、農作物の移送時において農作物がガイドローラに接触することによって付着した土塊が落とされるとともに、当該土塊および農作物の収穫時に掘り上げられて搬送される細かい土塊、石、さらには、商品にならない小粒の農作物が、各ガイドローラ間およびガイドローラと搬送ローラとの間からすり抜けて捨てることができる。
また、第２発明及び第３発明にによれば、ガイドローラー列を複数配設しているので、農作物の移送を効率よく、かつ連続的に行うことができる。
したがって、農作物の移送時における農作物に対する傷付き等の悪影響の抑制を達成することができる。
【発明を実施するための最良の形態】
【０００８】
以下、本発明の農作物収穫機Ａにおける移送装置１を実施するための最良の形態を図面に基づいて説明する。
なお、本形態で例示する農作物収穫機Ａは、ロータリーバケット２を備えたポテトハーベスタ又はビートハーベスタと称されるものであるが、本願発明では、これらの農作物収穫機に限定するものではなく、少なくとも搬送コンベア３と選別コンベア４を備え、これら両コンベアが互いに交差するように配設された農作物収穫機のすべてを包含する。
また、本形態で例示する農作物収穫機Ａは、基本的には収穫される農作物Ｂがロータリーバケット２から搬送コンベア３へ、搬送コンベア３から選別コンベア４へ順次移送され、当該選別コンベア上で各種不要物が取り除かれ、商品となる農作物Ｂが収容タンク(図示せず)へ、取り除かれる不要物Ｂ１が不要物コンベア４１へ移送される周知形態のものであるので、詳細な説明は省略するとともに、図面(図３)を模式的に現す。
【０００９】
移送装置１は、前記搬送コンベア３の最下流部上に、モーターＭによって自転可能に軸支されている。(図３参照)
また、移送装置１は、その軸線方向を長手方向前記搬送コンベア３の搬送方向と交差し、かつ農作物を選別コンベア４に移送可能な角度で傾けて配設されている。
移送装置１の具体的構成は、回転可能に軸支される回転シャフト５の周面に多数のガイドローラ６が突設されている。(図１，図２参照)
なお、前記移送装置１の軸支構造は、農作物収穫機Ａのフレーム(図示せず)から２枚の支持板１Ａを突設し、当該支持板１Ａの間に移送装置１を架設するようにして軸支している。
【００１０】
前記ガイドローラ６は、農作物を傷付けない程度の軟質のゴム材を用いて、先端を半球状に形成した筒体を呈していて、回転シャフト５に対して回転可能に軸支されている。
また、前記ガイドローラ６は、回転シャフト５の軸線方向に、かつ隣接するガイドローラ６同士の間に一定の間隔を確保するとともに、一定の角度を持って周方向にずらして配列することによって、略曲面からなる略らせん状をなすガイドローラ列６１を形成している。
【００１１】
本形態では、前記ガイドローラ列６１を３列配設していて、これら各ガイドローラ列６１同士を一定の間隔を確保して配設している。
前記各ガイドローラ列６１同士の一定の間隔は、各ガイドローラ列６１間の角度θ１を１２０度とすることによって、３列の各ガイドローラ列６１間に一定の間隔を確保している。
また、前記ガイドローラ６同士の一定の間隔Ｈは、商品になる農作物Ｂがすり抜けない間隔であり、かつ細かい不要物がすり抜けられる間隔であって、具体的にはおよそ１０ｍｍ前後である。
また、前記ガイドローラ６同士の一定の角度θ２は、略曲面からなる略らせん状が構成される角度であり、具体的にはおよそ５度〜７度前後である。
【００１２】
なお、前記各ガイドローラ列間の一定の間隔は、ガイドローラ列の列数によって任意に決定される。
また、一定の角度は、回転シャフトの長さやガイドローラ列数によって最適な角度が任意に決定される。
【００１３】
このように構成した移送装置１によれば、搬送コンベア３によって搬送される農作物Ｂと不要物Ｂ１が移送装置１に至ると、不要物Ｂ１は、各ガイドローラ６間の隙間をすり抜けてそのまま不要物コンベア４１に移送され、農作物Ｂは、ガイドローラ列６１によって選別コンベア４に移送される。
農作物Ｂの移送時には、ゴム材からなるガイドローラ６を略曲面からなる略らせん状に配列してなるガイドローラ列６１によって、農作物の接触時における衝撃を緩和し、農作物に対する傷付き等の悪影響を抑制することができる。
【００１４】
なお、本発明は、例示した実施の形態に限定するものでは無く、特許請求の範囲の各項に記載された内容から逸脱しない範囲の構成による実施が可能である。
【図面の簡単な説明】
【００１５】
【図１】本発明に係る移送装置の一例を示す斜視図。
【図２】同、側面図。
【図３】移送装置を農作物収穫機に備えた状態の要部拡大図。
【符号の説明】
【００１６】
Ａ：農作物収穫機
Ｂ：農作物
Ｂ１：不要物
１：移送装置
３：搬送コンベア
４：選別コンベア
５：回転シャフト
６：ガイドローラ
６１：ガイドローラ列
【図１】
2006206221.tif 000003
【図２】
2006206221.tif 000004
【図３】
2006206221.tif 000005